(57)【要約】【課題】打面の厚さについて厚い印象を与えることなくエフェクトシンバルの形状を再現することができる電子シンバルを提供する。【解決手段】電子シンバル１００は、スタンド１１０に支持されたシンバルパッド１０１を備えている。シンバルパッド１０１は、ベース体１０２、パッド１０６および叩打センサ１０５ａ，１０５ｂを備えている。ベース体１０２は、上方に向かって凸状となる球面状に形成されており、ベース体側打面貫通孔１０３が形成されている。パッド１０６は、ベース体１０２を覆う上方に向かって凸状となる球面状に形成されており、パッド側打面貫通孔１０７が形成されている。ベース体側打面貫通孔１０３およびパッド側打面貫通孔１０７は、打面側から裏面側に向かって孔径が拡大する傾斜面で構成されている。【選択図】  図２
2019159219.tif 000002
【特許請求の範囲】
【請求項１】
演奏者によって叩かれる打面を有するシンバルパッドと、
前記シンバルパッドの叩打を検出する叩打センサと、
前記シンバルパッドにおける前記打面と同打面の裏側である裏面との間で貫通して形成された打面貫通孔とを備えた電子シンバルであって、
前記打面貫通孔は、
孔の内周部が前記打面から前記裏面に向かって孔の大きさが拡大する傾斜面に形成されていることを特徴とする電子シンバル。
【請求項２】
請求項１に記載した電子シンバルにおいて、
前記打面貫通孔は、
前記シンバルパッドを叩打するスティックの先端部のチップの大きさよりも大きく開口していることを特徴とする電子シンバル。
【請求項３】
請求項１または請求項２に記載した電子シンバルにおいて、
前記シンバルパッドは、
前記打面貫通孔の内周部の厚さが同内周部の外側部分の厚さよりも厚く形成されていることを特徴とする電子シンバル。
【請求項４】
請求項１ないし請求項３のうちのいずれか１つに記載した電子シンバルにおいて、
前記シンバルパッドは、
弾力のある材料で構成されて前記打面を構成するパッドと、
前記パッドよりも硬質な材料で構成されて同パッドを裏面側から支持するベース体とを有し、
前記ベース体は、
前記打面貫通孔を形成する内周部が前記パッドにおける前記打面貫通孔を形成する内周部よりも前記打面貫通孔の中心軸線に対してより大きく傾斜していることを特徴とする電子シンバル。
【請求項５】
請求項１ないし請求項３のうちのいずれか１つに記載した電子シンバルにおいて、
前記シンバルパッドは、
弾力のある材料で構成されて前記打面を構成するパッドと、
前記パッドよりも硬質な材料で構成されて同パッドを裏面側から支持するベース体とを有し、
前記パッドは、
前記打面貫通孔を形成する内周部の下端部が下方に張り出して形成されて前記ベース体における前記打面貫通孔を形成する内周部に引っ掛けられていることを特徴とする電子シンバル。
【請求項６】
請求項１ないし請求項５のうちのいずれか１つに記載した電子シンバルにおいて、
前記打面貫通孔は、
内周部が濃色で構成されていることを特徴とする電子シンバル。
【発明の詳細な説明】
【技術分野】
【０００１】
本発明は、電子回路を用いてアコースティックのシンバルを電子的に実現した電子シンバルに関する。
【背景技術】
【０００２】
従来から、電子回路を用いてアコースティックのシンバルを電子的に実現した電子シンバルは、金属または樹脂などの硬質な材料で環状に形成されたフレームの外表面をゴムなどの弾性体で構成されたパッドで覆って構成されている。例えば、下記特許文献１には、上方に向かって凸状に湾曲する硬質樹脂製の円盤状のフレームの外側をゴム製のカバーで覆った電子シンバルが開示されている。
【先行技術文献】
【特許文献】
【０００３】
【特許文献１】特開２００２−０６２８７２号公報
【０００４】
一方、演奏者が金属製の円盤をスティックを介して叩打した際の音を楽音とするアコースティックシンバル（所謂、生楽器）においては、従来からシンバルの打面に複数の貫通孔を設けて通常のシンバルとは異なった楽音を発生させることができるエフェクトシンバルがある。
【０００５】
しかしながら、上記特許文献１に記載された電子シンバルにおいては、上記エフェクトシンバルの形状を再現するためにシンバルの打面に貫通孔を形成しようとすると、この打面がフレームとカバーとで構成されて厚さが厚く形成されていることで板厚の薄いアコースティックシンバルとの相違が顕著に現れてエフェクトシンバルの形状を再現することが実質的にできないという問題があった。
【０００６】
本発明は上記問題に対処するためなされたもので、その目的は、打面の厚さについて厚い印象を与えることなくエフェクトシンバルの形状を再現することができる電子シンバルを提供することにある。
【発明の概要】
【０００７】
上記目的を達成するため、本発明の特徴は、演奏者によって叩かれる打面を有するシンバルパッドと、シンバルパッドの叩打を検出する叩打センサと、シンバルパッドにおける打面と同打面の裏側である裏面との間で貫通して形成された打面貫通孔とを備えた電子シンバルであって、打面貫通孔は、孔の内周部が前記打面から前記裏面に向かって孔の大きさが拡大する傾斜面に形成されていることにある。
【０００８】
このように構成した本発明の特徴によれば、電子シンバルは、シンバルパッドに形成された打面貫通孔における孔の内周部が打面から裏面に向かって孔の大きさが拡大する傾斜面に形成されているため、このシンバルパッドを周囲から見た際に打面貫通孔の内周部が目立たず打面の厚さに厚い印象を与えることを抑制することができエフェクトシンバルの形状を外観的により近づけることができる。
【０００９】
また、本発明の他の特徴は、前記電子シンバルにおいて、打面貫通孔は、シンバルパッドを叩打するスティックの先端部のチップの大きさよりも大きく開口していることにある。
【００１０】
このように構成した本発明の他の特徴によれば、電子シンバルは、打面貫通孔がシンバルパッドを叩打するスティックの先端部のチップの大きさよりも大きく開口している場合であっても打面貫通孔の内周部を視認し難くでき、より大きな打面貫通孔を形成することができるとともに打面貫通孔の数も増やすことができ、種々のエフェクトシンバルの外観を再現することができる。
【００１１】
また、本発明の他の特徴は、前記電子シンバルにおいて、シンバルパッドは、打面貫通孔の内周部の厚さが同内周部の外側部分の厚さよりも厚く形成されていることにある。
【００１２】
このように構成した本発明の他の特徴によれば、電子シンバルは、シンバルパッドにおける打面貫通孔の内周部の厚さが同内周部の外側部分の厚さよりも厚く形成されているため、打面貫通孔の内周部の剛性を向上させることができる。このことは、本発明が打面貫通孔における孔の内周部が打面から裏面に向かって孔の大きさが拡大する傾斜面に形成されることで、打面貫通孔の内周部の厚さを厚くしても打面貫通孔の内周部が目立たず打面の厚さに厚い印象を与えることを抑制することができ剛性も確保し易いことを意味している。
【００１３】
また、本発明の他の特徴は、前記電子シンバルにおいて、シンバルパッドは、弾力のある材料で構成されて前記打面を構成するパッドと、パッドよりも硬質な材料で構成されて同パッドを裏面側から支持するベース体とを有し、ベース体は、打面貫通孔を形成する内周部がパッドにおける打面貫通孔を形成する内周部よりも打面貫通孔の中心軸線に対してより大きく傾斜していることにある。
【００１４】
このように構成した本発明の他の特徴によれば、電子シンバルは、シンバルパッドが弾力のある材料で構成されたパッドとこのパッドを支持するベース体とで構成されるとともに、ベース体における打面貫通孔を形成する内周部がパッドにおける打面貫通孔を形成する内周部よりも打面貫通孔の中心軸線に対してより大きく傾斜しているため、シンバルパッドを２層構造にした場合においても打面貫通孔の内周部の厚さが厚く見えることを防止することができる。
【００１５】
また、本発明の他の特徴は、前記電子シンバルにおいて、シンバルパッドは、弾力のある材料で構成されて前記打面を構成するパッドと、パッドよりも硬質な材料で構成されて同パッドを裏面側から支持するベース体とを有し、パッドは、打面貫通孔を形成する内周部の下端部が下方に張り出して形成されてベース体における打面貫通孔を形成する内周部に引っ掛けられていることにある。
【００１６】
このように構成した本発明の他の特徴によれば、電子シンバルは、シンバルパッドが弾力のある材料で構成されたパッドとこのパッドを支持するベース体とで構成されるとともに、パッドにおける打面貫通孔を形成する内周部の下端部が下方に張り出して形成されてベース体における打面貫通孔を形成する内周部に引っ掛けられているため、打面貫通孔の内周部における一体性を高めてパッドの叩打時におけるパッドとベース体との分離および劣化などの経時変化によるパッドとベース体との分離を防止でき耐久性を向上させることができる。
【００１７】
また、本発明の他の特徴は、電子シンバルにおいて、打面貫通孔は、内周部が濃色で構成されていることにある。
【００１８】
このように構成した本発明の他の特徴によれば、電子シンバルは、打面貫通孔における内周部が濃色で構成されているため、シンバルパッドを周囲から見た際に打面貫通孔の内周部が目立たず打面の厚さに厚い印象を与えることを抑制することができエフェクトシンバルの外観形状により近づけることができる。なお、打面貫通孔における内周部を構成する濃色とは、黒色および黒色に類似した濃赤色、濃青色、濃褐色または濃紫色など黒色系の色である。
【図面の簡単な説明】
【００１９】
【図１】本発明の一実施形態に係る電子シンバルの外観構成の概略を示す斜視図である。
【図２】図１に示す電子シンバルの内部構成の概略を示す断面図である。
【図３】図２に示す電子シンバルの図示左側半分の構成を拡大して示す部分拡大断面図である。
【図４】図２に示す電子シンバルを構成するシンバルパッドを裏面側から見た斜視図である。
【図５】図２に示す電子シンバルを構成するベース体および叩打センサの外観構成の概略示す斜視図である。
【図６】図２に示す電子シンバルにおけるシンバルパッド取付具の外観および内部の各構成を説明するためにシンバルパッド取付具を半分に割った状態を示す破断斜視図である。
【発明を実施するための形態】
【００２０】
以下、本発明に係る電子シンバルの実施形態について図面を参照しながら説明する。図１は、本発明の一実施形態に係る電子シンバル１００の外観構成の概略を模式的に示した斜視図である。また、図２は、図１に示す電子シンバル１００の内部構成の概略を模式的に示す断面図である。また、図３は、図２に示す電子シンバル１００の図示左側半分の構成を拡大して示す部分拡大断面図である。また、図４は、図２に示す電子シンバル１００のシンバルパッド１０１を裏面側から見た斜視図である。この電子シンバル１００は、演奏者（図示せず）がスティックＳＴを介して叩いた打面の衝撃を検出して電子的な楽音を発生させる電子打楽器である。
【００２１】
（電子シンバル１００の構成）
電子シンバル１００は、シンバルパッド１０１を備えている。シンバルパッド１０１は、演奏者による叩く操作によって振動する部品であり、上方に向かって凸状に湾曲するとともに平面視で円形の板状体で構成されている。このシンバルパッド１０１は、主として、ベース体１０２およびパッド１０６をそれぞれ備えている。
【００２２】
ベース体１０２は、図５に示すように、シンバルパッド１０１を形作る芯材となる部品であり、樹脂材を上方に向かって凸状に湾曲するとともに平面視で円環状の板状体に形成して構成されている。この場合、ベース体１０２は、後述するパッド１０６を構成する材料よりも硬質な材料、例えば、ＡＢＳ樹脂またはポリカーボネート樹脂で構成されている。なお、ベース体１０２は、ＡＢＳ樹脂またはポリカーボネート樹脂以外の樹脂で構成してもよいし、樹脂以外の材料、例えば、金属材料で構成することもできる。このベース体１０２は、主として、貫通取付部１０２ａ、平面環状部１０２ｂおよび湾曲部１０２ｃをそれぞれ備えている。
【００２３】
貫通取付部１０２ａは、後述するスタンド１２０の貫通部１２１および押圧具１２４ａ，１２４ｂがそれぞれ貫通した状態で配置されるとともに、後述するシンバルパッド取付具１０４が取り付けられる部分であり、ベース体１０２の厚さ方向に延びる円筒状に形成されている。この貫通取付部１０２ａは、ベース体１０２の平面視で中心部に貫通孔として形成されている。平面環状部１０２ｂは、パッド１０６のカップ部１０６ａを支持しつつ後述する叩打センサ１０５ａを支持する部分であり、貫通取付部１０２ａの外側に水平方向に延びる平板環状に形成されている。
【００２４】
湾曲部１０２ｃは、パッド１０６のボウ部１０６ｃおよびエッジ部１０６ｄをそれぞれ支持しつつ後述する叩打センサ１０５ｂを支持部分であり、平面環状部１０２ｂの外側に環状に形成されている。この湾曲部１０２ｃは、平面環状部１０２ｂ側から径方向外側に向かって緩やかに円弧状に下がる湾曲した傾斜面で構成されている。すなわち、湾曲部１０２ｃは、ベース体１０２の中心部側から外縁部側に向かって下方に湾曲して形成されることにより、上方側に凸状に張り出す球面状に形成されている。この湾曲部１０２ｃには、径方向の中央部に周方向に沿って複数のベース体側打面貫通孔１０３が形成されている。
【００２５】
ベース体側打面貫通孔１０３は、後述するパッド側打面貫通孔１０７とともに打面貫通孔１０８を構成する貫通孔であり、湾曲部１０２ｃの板面の接線に対して垂直方向に貫通して形成されている。このベース体側打面貫通孔１０３は、本実施形態においては湾曲部１０２ｃの径方向に沿って等間隔に７つ形成されている。これらのベース体側打面貫通孔１０３は、前記垂直方向から見て円形に形成されるとともに、ベース体側打面貫通孔１０３の内周部１０３ａが湾曲部１０２ｃの上面から下面に掛けて内径が拡大する円錐面に形成されている。
【００２６】
この場合、内周部１０３ａは、前記垂直方向に延びるベース体側打面貫通孔１０３の中心軸線ＣＬに対してパッド側打面貫通孔１０７を形成する内周部１０７ａよりも傾斜する傾斜面で構成されている。本実施形態においては、内周部１０３ａは、前記中心軸線ＣＬに対して傾斜角θ１が６０°に形成されている。
【００２７】
また、内周部１０３ａの上端部には、同上端部から前記垂直方向に向かって拡径する受け部１０３ｂが形成されている。受け部１０３ｂは、パッド側打面貫通孔１０７の内周部１０７ａの張出部１０７ｂが引っ掛けられる部分であり、内周部１０３ａを構成する傾斜面に対して直交する方向に延びる傾斜面で構成されている。この場合、受け部１０３ｂの傾斜面は、内周部１０３ａを構成する傾斜面の長さの概ね１／３の長さに形成されている。
【００２８】
一方、内周部１０３ａの下端部には、下方に張り出す張出部１０３ｃが形成されている。これにより、湾曲部１０２ｃは、ベース体側打面貫通孔１０３の内周部１０３ａを構成する縁部部分の厚さが同部分の外側部分の厚さよりも厚い厚さで形成されている。また、この内周部１０３ａは、黒色に形成されている。
【００２９】
また、湾曲部１０２ｃの上面におけるベース体側打面貫通孔１０３の周囲には、凹部１０３ｄが形成されている。凹部１０３ｄは、肉厚に形成されたベース体側打面貫通孔１０３の内周部１０３ａの縁部分の樹脂成形の成形性を良好にするためにベース体側打面貫通孔１０３の周囲の肉厚の厚い部分を部分的に凹ませて肉厚の均一化を図った部分である。この凹部１０３ｄは、平面視で長方形状に形成されており、ベース体側打面貫通孔１０３の周囲に周方向に沿って断続的（換言すれば、放射状）に形成されている。
【００３０】
シンバルパッド取付具１０４は、図６に示すように、シンバルパッド１０１をスタンド１２０に回転摺動可能かつ着脱自在な状態で取り付けるための部品であり、ゴム材または発泡樹脂材などからなる弾性体を平面視で円環状に形成して構成されている。より具体的には、シンバルパッド取付具１０４は、主として、保持部１０４ａと連結部１０４ｂとを備えて構成されている。
【００３１】
保持部１０４ａは、後述する押圧具１２４ａ，１２４ｂによって押圧されることで押圧方向に直交する方向、すなわち、径方向に弾性変形する部分であり、平面視で円環状に形成されている。この場合、保持部１０４ａは、周方向に沿って円筒状に形成されており、内部が中空に形成されている。この保持部１０４ａは、外径が貫通取付部１０２ａよりも小径に形成されるとともに、内径が後述するスタンド１２０における貫通部１２１よりも大径に形成されている。なお、図２においては、スタンド１２０、貫通部１２１、支持スリーブ１２２、受けフランジ部１２２ａおよび押圧具１２４ａ，１２４ｂをそれぞれ二点鎖線で示している。
【００３２】
連結部１０４ｂは、保持部１０４ａをシンバルパッド１０１の裏面側における貫通取付部１０２ａの上端部に取り付けるための部分であり、保持部１０４ａの外周部からフランジ状に張り出す平面視で円環平板状に形成されている。この場合、連結部１０４ｂは、上下方向に２つの平板リング体が対向配置されて構成されている。
【００３３】
これらの保持部１０４ａおよび連結部１０４ｂは、コンプレッション成形、トランスファー成形、インジェクション成形または押出し成形などを用いて両者が一体的に成形されてシンバルパッド取付具１０４を一体的に構成している。このシンバルパッド取付具１０４は、ボルトによってベース体１０２の貫通取付部１０２ａの上端部に固定的に取り付けられている。この場合、シンバルパッド取付具１０４は、貫通取付部１０２ａに対して保持部１０４ａが同心の位置に取り付けられる。
【００３４】
叩打センサ１０５ａは、演奏者の叩打によるシンバルパッド１０１の振動を検出する検出器であり、パッド１０６の振動に応じた電気信号からなる叩打検出信号を外部に設けられる図示しない音源に出力する。より具体的には、叩打センサ１０５ａは、圧電素子を薄膜化したピエゾフィルムを単体で、または絶縁性を有する樹脂製のフィルムにピエゾフィルムを貼り付けて平面視で略円環となるＣ字状に形成されている。
【００３５】
この叩打センサ１０５ａは、平面環状部１０２ｂの上面に図示しない接着剤または両面テープによって略円環状に貼り付けられており、図示しない配線を介してフォーン端子１１０に接続されている。すなわち、叩打センサ１０５ａは、パッド１０６における主としてカップ部１０６ａの叩打を検出してフォーン端子１１０に出力する。
【００３６】
ここで、音源は、電子シンバル１００とは別体で設けられるマイクロコンピュータによって構成されており、叩打センサ１０５ａ，１０５ｂからそれぞれ出力される叩打検出信号に基づいて楽音信号を出力する電子回路である。この場合、音源は、叩打センサ１０５ａ，１０５ｂがそれぞれ検出する叩打の強さおよび比率に応じてシンバルパッド１０１が叩打されたカップ部１０６ａとボウ部１０６ｃとを見分けて各叩打位置に応じた楽音を発音させる。この音源は、図示しない外部スピーカに直接またはアンプを介して接続されており、これらに対して楽音信号を出力する。
【００３７】
叩打センサ１０５ｂは、叩打センサ１０５ａと同様に、演奏者の叩打によるシンバルパッド１０１の振動を検出する検出器であり、パッド１０６の振動に応じた電気信号からなる叩打検出信号を外部に設けられる前記音源に出力する。より具体的には、叩打センサ１０５ｂは、圧電素子を薄膜化したピエゾフィルムを単体で、または絶縁性を有する樹脂製のフィルムにピエゾフィルムを貼り付けて平面視で略円環となるＣ字状に形成されている。
【００３８】
この叩打センサ１０５ｂは、湾曲部１０２ｃの外縁部上に図示しない接着剤または両面テープによって略円環状に貼り付けられており、図示しない配線を介してフォーン端子１１０に接続されている。すなわち、叩打センサ１０５ｂは、パッド１０６における主としてボウ部１０６ｃおよびエッジ部１０６ｄの叩打を検出してフォーン端子１１０に出力する。
【００３９】
パッド１０６は、演奏者がスティックＳＴなどを用いて叩く打面を構成する部分であり、ゴム材または発泡樹脂材などからなる弾性体をベース体１０２の上面を覆う円環状に形成して構成されている。このパッド１０６は、主として、カップ部１０６ａおよびボウ部１０６ｃをそれぞれ備えて構成されている。
【００４０】
カップ部１０６ａは、シンバルパッド１０１の打面の一部を構成する部分であり、パッド１０６の中央部が中心部に向かって凸状の球面状に盛り上がる平面視で円環状に形成されている。この場合、カップ部１０６ａは、ボウ部１０６ｃよりも十分に小さい形状に形成されている。具体的には、カップ部１０６ａは、例えば、ボウ部１０６ｃの半径の１／３以下の大きさで形成されている。すなわち、カップ部１０６ａは、アコースティックシンバルの打面を構成するカップに相当するものである。
【００４１】
また、カップ部１０６ａにおける平面環状部１０２ｂに対向する内側面は、リング状に突出する突起１０６ｂが平面環状部１０２ｂに設けられた叩打センサ１０５ａに接触した状態で形成されており、演奏者によるカップ部１０６ａの叩打によって叩打センサ１０５ａを押圧するように形成されている。なお、突起１０６ｂは、叩打センサ１０５ａに対して離隔した状態で突出して、カップ部１０６ａの叩打時にのみ叩打センサ１０５ａに接触するように構成してもよい。また、カップ部１０６ａは、内側面の全面が叩打センサ１０５ａに接触して設けられていてもよい。
【００４２】
ボウ部１０６ｃは、シンバルパッド１０１の打面の他の一部を構成する部分であり、ベース体１０２の湾曲部１０２ｃの上面に沿って上方側に凸状に湾曲した球面形状に形成されている。すなわち、ボウ部１０６ｃは、湾曲部１０２ｃと同様に、パッド１０６の中心部側から外縁部であるエッジ部１０６ｄ側に向かって下方に湾曲して形成されることにより、上方側に凸状に張り出す球面状に形成されている。
【００４３】
これらのボウ部１０６ｃおよびエッジ部１０６ｄは、アコースティックシンバルの打面を構成するボウ（ライドエリア）およびエッジ（クラッシュエリア）に相当するものである。したがって、ボウ部１０６ｃは、半径が概ね５ｃｍ〜３０ｃｍの大きさで構成されている。また、ボウ部１０６ｃは、内側面が湾曲部１０２ｃに対して図示しない両面テープまたは接着剤によって貼り付けられている。このボウ部１０６ｃには、径方向の中央部に周方向に沿って複数のパッド側打面貫通孔１０７が形成されている。
【００４４】
エッジ部１０６ｄは、平面視で円形状のボウ部１０６ｃの外縁部分であり、ベース体１０２の湾曲部１０２ｃの外縁部分における表面から裏面までを巻き込んで覆うように形成されている。このエッジ部１０６ｄにおける湾曲部１０２ｃに対向するうち内側面には、前記突起１０６ｂと同様の突起１０６ｅが形成されており、叩打センサ１０５ｂを押圧している。
【００４５】
パッド側打面貫通孔１０７は、前記ベース体側打面貫通孔１０３とともに打面貫通孔１０８を構成する貫通孔であり、ボウ部１０６ｃの板面の接線に対して垂直方向に貫通して形成されている。この場合、パッド側打面貫通孔１０７は、ボウ部１０６ｃにおけるベース体側打面貫通孔１０３に対向する部分に形成されている。すなわち、本実施形態においては、パッド側打面貫通孔１０７は、ボウ部１０６ｃの径方向に沿って等間隔に７つ形成されている。
【００４６】
これらのパッド側打面貫通孔１０７は、前記垂直方向から見て円形に形成されるとともに、パッド側打面貫通孔１０７の内周部１０７ａがボウ部１０６ｃの上面から下面に掛けて内径が拡大する円錐面に形成されている。本実施形態においては、パッド側打面貫通孔１０７は、直径が５ｃｍの円形に形成されている。
【００４７】
また、パッド側打面貫通孔１０７の内周部１０７ａは、前記垂直方向に延びるパッド側打面貫通孔１０７の中心軸線ＣＬに対して前記ベース体側打面貫通孔１０３を形成する内周部１０３ａよりも小さい傾斜角θ２の傾斜面で構成されている。本実施形態においては、内周部１０７ａは、前記垂直方向に延びるパッド側打面貫通孔１０７の中心軸線に対して傾斜角θ２が４５°に形成されている。なお、このパッド側打面貫通孔１０７の中心軸線ＣＬとベース体側打面貫通孔１０３の中心軸線ＣＬとは同一位置で同一方向に延びる直線である。
【００４８】
また、内周部１０７ａの下端部は、下方に張り出す張出部１０７ｂが形成されている。これにより、ボウ部１０６ｃは、パッド側打面貫通孔１０７の内周部１０７ａを構成する縁部分の厚さが同部分の外側部分の厚さよりも厚い厚さで形成されている。また、張出部１０７ｂは、径方向外側部分が受け部１０３ｂと対向する面を有して構成されて内周部１０７ａの下端部全体として鉤状に形成されている。これにより、パッド側打面貫通孔１０７は、張出部１０７ｂの径方向外側面が受け部１０３ｂに引っ掛けられた状態で嵌合している。また、この内周部１０７ａは、黒色に形成されている。
【００４９】
フォーン端子１１０は、叩打センサ１０５ａ，１０５ｂからそれぞれ出力される叩打検出信号をそれぞれ音源（図示せず）など外部機器に出力するための部品であり、音源に電気的に接続される信号ケーブル（図示せず）が着脱自在に接続されるジャック型のインターフェースである。このフォーン端子１１０は、下面カバー１１１内に接続部を露出した状態で設けられている。
【００５０】
下面カバー１１１は、ベース体１０２の下面に取り付けられて平面環状部１０２ｂを覆うとともにフォーン端子１１０を収納する部品であり、樹脂材を平面視で円筒状に形成して構成されている。この場合、下面カバー１１１は、内周部１０３ａ，１０７ａと同色、すなわち、黒色に形成されている。この下面カバー１１１は、図示しない取付ボルトによってベース体１０２の下面に取り付けられている。
【００５１】
スタンド１２０は、シンバルパッド１０１を演奏者が希望する高さ位置で支持するための部品であり、床面に対して上方に延びる金属製の複数の棒状体を可動的に連結して構成されている。このスタンド１２０は、シンバルパッド１０１に連結される棒状体の上端部に貫通部１２１が形成されているとともに、電子シンバル１００の設置面側の棒状体の下端部側に図示しない三脚を備えており、電子シンバル１００の設置面上に自立するように構成されている。
【００５２】
貫通部１２１は、シンバルパッド１０１の貫通取付部１０２ａおよびシンバルパッド取付具１０４の保持部１０４ａの各内側をそれぞれ貫通してシンバルパッド取付具１０４を介してシンバルパッド１０１を支持する軸状の部分である。この貫通部１２１には、軸状体の外周部に雄ネジが形成されており、この雄ネジの外周部に支持スリーブ１２２が摺動自在な状態で嵌合しているとともにこの支持スリーブ１２２の上方の雄ネジ部分に締付ナット１２３がネジ嵌合している。なお、スタンド１２０は、シンバルパッド１０１を演奏者が演奏する位置に保持していればよく、例えば、設置面から起立する１つの棒体で構成されていてもよい。
【００５３】
支持スリーブ１２２は、シンバルパッド取付具１０４および押圧具１２４ａ，１２４ｂがそれぞれ貫通部１２１に直接接触することを防止するための部品であり、樹脂材を円筒状に形成して構成されている。支持スリーブ１２２の外周部は、シンバルパッド取付具１０４の保持部１０４ａが嵌合する大きさ（例えば、保持部１０４ａの内径と同一または同内径よりも若干大きな外径）以下の外径に形成されている。本実施形態においては、支持スリーブ１２２の外径は、保持部１０４ａの内径よりも小径に形成されている。
【００５４】
また、支持スリーブ１２２の外周部における両端部のうちの一方（図示下方）の端部は、径方向外側にフランジ状に張り出した状態で受けフランジ部１２２ａが形成されており、この受けフランジ部１２２ａによって押圧具１２４ａを図示下方から支持するように形成されている。一方、支持スリーブ１２２の内周部には、貫通部１２１に対して摺動可能な状態で嵌合するように形成されている。
【００５５】
そして、支持スリーブ１２２は、シンバルパッド取付具１０４の保持部１０４ａが嵌合する部分が保持部１０４ａの弾性変形による圧迫によって径方向内側に弾性変形するように構成されている。締付ナット１２３は、貫通部１２１に形成された雄ネジにネジ嵌合する部品であり、金属製の筒体の内周部に雌ネジが形成されて構成されているとともに、外表面が把持し易い板状に形成されている。
【００５６】
押圧具１２４ａ，１２４ｂは、シンバルパッド取付具１０４における保持部１０４ａを図示上下方向の両側から挟んで押し潰して径方向に伸長させるための部品であり、フェルト材をそれぞれ円筒状に成形して構成されている。この場合、押圧具１２４ａ，１２４ｂは、内径が支持スリーブ１２２の外径と略同一の大きさに形成されて支持スリーブ１２２の外周面に摺動自在に嵌合するとともに、外径が貫通取付部１０２ａよりも小径で支持スリーブ１２２の受けフランジ部１２２ａの外径と同じ大きさに形成されている。
【００５７】
（電子シンバル１００の作動）
次に、このように構成した電子シンバル１００の作動について説明する。まず、演奏者は、電子シンバル１００をスタンド１２０に組み付ける。具体的には、演奏者は、設置面上に起立させたスタンド１２０の貫通部１２１に支持スリーブ１２２を嵌合させた後、この支持スリーブ１２２の外周面に押圧具１２４ａを嵌める。次いで、演奏者は、支持スリーブ１２２の外周面にシンバルパッド１０１の貫通取付部１０２ａをシンバルパッド取付具１０４の保持部１０４ａを介して貫通させた後、押圧具１２４ｂを嵌める。つまり、演奏者は、シンバルパッド１０１を支持スリーブ１２２上においてシンバルパッド取付具１０４の保持部１０４ａを２つの押圧具１２４ａ，１２４ｂで挟んだ状態で配置する。
【００５８】
そして、演奏者は、締付ナット１２３を貫通部１２１にネジ嵌合させて締め付ける。これにより、シンバルパッド取付具１０４は、保持部１０４ａが２つの押圧具１２４ａ，１２４ｂによって貫通部１２１の軸線方向上で挟まれて押圧されるため、保持部１０４ａの内周部が貫通部１２１側に張り出して支持スリーブ１２２を周方向に沿って圧迫して支持スリーブ１２２の内周部を貫通部１２１側に弾性変形させる。
【００５９】
この場合、演奏者は、締付ナット１２３の締付具合によって支持スリーブ１２２が貫通部１２１を圧迫する力を調節することができる。これにより、演奏者は、締付ナット１２３の締め付け具合によってシンバルパッド１０１がスタンド１２０に対して回転摺動する摺動抵抗の程度、または回転摺動不能な状態を選択的に設定することができる。そして、演奏者は、フォーン端子１１０と音源とを図示しない信号ケーブルを介して電気的に接続して電子シンバル１００を演奏可能な状態とする。
【００６０】
なお、シンバルパッド１０１は、シンバルパッド１０１の径方向が垂直方向に対して直交する水平な姿勢でスタンド１２０に支持されていてもよいし、シンバルパッド１０１の径方向が垂直方向に対して傾斜して演奏者側に傾斜する姿勢でスタンド１２０に支持されていてもよい。
【００６１】
次に、演奏者は、電子シンバル１００を演奏する。具体的には、演奏者は、棒状に延びるスティックＳＴを用いてシンバルパッド１０１の上面を構成するパッド１０６を叩く。より具体的には、演奏者は、パッド１０６におけるカップ部１０６ａまたはボウ部１０６ｃを叩打する。このような演奏過程において、シンバルパッド１０１は、パッド１０６におけるカップ部１０６ａまたはボウ部１０６ｃが叩打された場合には、パッド１０６に生じた振動は叩打センサ１０５ａまたは叩打センサ１０５ｂによって検出される。
【００６２】
これにより、叩打センサ１０５ａ，１０５ｂは、パッド１０６を介して伝搬した振動に応じた検出信号をフォーン端子１１０を介して音源に出力する。これにより、音源は、叩打センサ１０５ａ，１０５ｂから入力した検出信号に基づいて楽音を表す楽音信号を生成して外部スピーカに出力する。この結果、電子シンバル１００は、演奏者の演奏操作に応じた楽音を外部スピーカから出力することができる。
【００６３】
そして、演奏者は、電子シンバル１００の演奏を終える場合には、電子シンバル１００と音源との電気的な接続を外した後、電子シンバル１００をスタンド１２０から取り外す。これにより、演奏者は、電子シンバル１００の演奏を終了することができる。
【００６４】
上記作動説明からも理解できるように、上記実施形態によれば、電子シンバル１００は、シンバルパッド１０１に形成されたパッド側打面貫通孔１０７およびベース体側打面貫通孔１０３における各孔の内周部１０７ａ，１０３ａが打面から裏面に向かって孔の大きさが拡大する傾斜面に形成されているため、このシンバルパッド１０１を周囲から見た際にパッド側打面貫通孔１０７およびベース体側打面貫通孔１０３の各内周部１０７ａ，１０３ａが目立たず打面の厚さに厚い印象を与えることを抑制することができエフェクトシンバルの形状を外観的により近づけることができる。
【００６５】
さらに、本発明の実施にあたっては、上記各実施形態に限定されるものではなく、本発明の目的を逸脱しない限りにおいて種々の変更が可能である。
【００６６】
例えば、上記実施形態においては、シンバルパッド１０１は、ベース体１０２およびパッド１０６で構成した。しかし、シンバルパッド１０１は、１種の材料、例えば、樹脂材料のみまたは樹脂材料を含む繊維強化プラスチックのみで構成することもできる。この場合、打面貫通孔１０８は、１種の材料で構成されたシンバルパッド１０１の板面を貫通した１種の材料からなる貫通孔で構成される。
【００６７】
また、上記実施形態においては、シンバルパッド１０１に対して直径が５ｃｍのパッド側打面貫通孔１０７およびこのパッド側打面貫通孔１０７に連通するベース体側打面貫通孔１０３によって打面貫通孔１０８を構成した。しかし、シンバルパッド１０１に形成する打面貫通孔１０８の大きさおよび形成する数は、上記実施形態に限定されるものでないことは当然である。すなわち、打面貫通孔１０８は、シンバルパッド１０１に対して１つ以上形成されていればよい。また、打面貫通孔１０８は、シンバルパッド１０１に対して複数形成する場合には、必ずしも同一の周方向上に形成する必要はなく互いに異なる周方向上に形成することができる。
【００６８】
また、打面貫通孔１０８の大きさについても、直径が５ｃｍ以下であってもよいし、５ｃｍ以上の大きさであってもよい。この場合、打面貫通孔１０８の大きさは、スティックＳＴの先端部のチップＣ（概ね直径１０ｍｍ）の大きさ以上の大きさに形成することでエフェクトシンバルの外観形状により近づけることができる。また、打面貫通孔１０８は、シンバルパッド１０１に対して複数形成する場合には、互いに異なる大きさに形成することもできる。また、打面貫通孔１０８は、平面視で円形（楕円形状を含む）以外の形状、例えば、三角形、方形、五角形または六角形などの多角形のほか、規則的な形状ではない異形形状に形成することもできる。
【００６９】
また、上記実施形態においては、シンバルパッド１０１は、打面貫通孔１０８の内周部１０７ａ，１０３ａの厚さをこれらの内周部１０７ａ，１０３ａの各外側部分の厚さよりも厚く形成した。より具体的には、パッド１０６におけるパッド側打面貫通孔１０７の内周部１０７ａおよびベース体１０２におけるベース体側打面貫通孔１０３の内周部１０３ａの厚さをこれらの周囲の厚さよりもそれぞれ厚く形成した。
【００７０】
これにより、電子シンバル１００は、これらのパッド側打面貫通孔１０７およびベース体側打面貫通孔１０３の各内周部１０７ａ，１０３ａの剛性を向上させることができる。このことは、本発明がパッド側打面貫通孔１０７およびベース体側打面貫通孔１０３における各孔の内周部１０７ａ，１０３ａが打面から裏面に向かって孔の大きさが拡大する傾斜面に形成されることで、パッド側打面貫通孔１０７およびベース体側打面貫通孔１０３の各内周部１０７ａ，１０３ａの各厚さを厚くしても内周部１０７ａ，１０３ａが目立たず打面の厚さに厚い印象を与えることを抑制することができ剛性も確保し易いことを意味している。しかしながら、パッド１０６におけるパッド側打面貫通孔１０７の内周部およびベース体１０２におけるベース体側打面貫通孔１０３の内周部の厚さをこれらの周囲の厚さと同じまたはこれらの周囲の厚さよりも薄く形成することができることは当然である。
【００７１】
また、上記実施形態においては、パッド側打面貫通孔１０７の内周部１０７ａの傾斜角θ２を４５°に設定するとともに、ベース体側打面貫通孔１０３の内周部１０３ａの傾斜角θ１を６０°に設定した。すなわち、ベース体側打面貫通孔１０３の内周部１０３ａの傾斜角θ１をパッド側打面貫通孔１０７の内周部１０７ａの傾斜角θ２よりも大きく設定した。これにより、電子シンバル１００は、シンバルパッド１０１を２層構造にした場合においてもパッド側打面貫通孔１０７およびベース体側打面貫通孔１０３の内周部１０７ａ，１０３ａの厚さが厚く見えることを防止することができる。
【００７２】
しかし、パッド側打面貫通孔１０７の内周部１０７ａの傾斜角θ２およびベース体側打面貫通孔１０３の内周部１０３ａの傾斜角θ１は、各打面貫通孔の中心軸線ＣＬに対して０°（平行）を超えかつ９０°未満に設定されていればよい。したがって、ベース体側打面貫通孔１０３の内周部１０３ａの傾斜角θ１をパッド側打面貫通孔１０７の内周部１０７ａの傾斜角θ２と同じまたは傾斜角θ２よりも小さく設定することもできる。また、シンバルパッド１０１は、前記したように１種の材料で構成した場合においては、打面貫通孔１０８の内周部の途中で傾斜角を大きくまたは小さく変化させるように構成することもできる。
【００７３】
また、上記実施形態においては、パッド側打面貫通孔１０７は、内周部１０７ａの下端部に形成した張出部１０７ｂがベース体側打面貫通孔１０３の内周部１０３ａに形成した受け部１０３ｂに引っ掛かるように構成した。これにより、電子シンバル１００は、パッド側打面貫通孔１０７とベース体側打面貫通孔１０３との一体性を高めてパッド側打面貫通孔１０７の内周部への叩打に対する耐性を向上させることができる。しかし、パッド側打面貫通孔１０７は、内周部１０７ａがベース体側打面貫通孔１０３の内周部１０３ａに対して引っ掛からず同内周部１０３ａ上に単に載置されているだけでもよい。
【００７４】
また、上記実施形態においては、打面貫通孔１０８は、内周部１０７ａ，１０３ａを黒色に形成した。これにより、電子シンバル１００は、シンバルパッド１０１を周囲から見た際に打面貫通孔１０８の内周部１０７ａ，１０３ａが目立たず打面の厚さに厚い印象を与えることを抑制することができエフェクトシンバルの形状を外観的により近づけることができる。この場合、打面貫通孔１０８における内周部１０７ａ，１０３ａは、黒色を含む濃色で構成することで同様の効果が期待できる。ここで、濃色とは、黒色および黒色に類似した濃赤色、濃青色、濃褐色または濃紫色など黒色系の色である。しかし、打面貫通孔１０８は、内周部１０７ａ，１０３ａは、これらの濃色以外の色で構成してもよいことは当然である。また、内周部１０７ａ，１０３ａを目立たなくする効果は、下面カバー１１１を内周部１０７ａ，１０３ａと同色にすることで更に向上することができるが、下面カバー１１１を内周部１０７ａ，１０３ａとは異なる色に形成してもよいことは当然である。
【００７５】
また、上記実施形態においては、ベース体１０２の表面におけるベース体側打面貫通孔１０３の周囲に凹部１０３ｄを設けた。これにより、ベース体１０２は、樹脂材を金型内に射出して成形する場合において肉厚に形成されたベース体側打面貫通孔１０３の周囲の肉厚の均一化を図って成形性を良好にすることができる。しかし、ベース体１０２は、ベース体側打面貫通孔１０３の周囲に凹部１０３ｄを省略して構成することも可能である。
【００７６】
また、上記実施形態においては、シンバルパッド１０１は、カップ部１０６ａとボウ部１０６ｃとで構成した。しかし、シンバルパッド１０１は、少なくともボウ部１０６ｃを有して構成されていればよく、カップ部１０６ａを省略してボウ部１０６ｃのみで構成することもできる。
【００７７】
また、上記実施形態においては、シンバルパッド１０１は、平面視で円形に形成した。しかし、シンバルパッド１０１は、平面視で円形以外の形状、例えば、平面視で扇形に形成されていてもよい。
【００７８】
また、上記実施形態においては、シンバルパッド１０１は、２つの叩打センサ１０５ａ、１０５ｂを備えて構成した。しかし、シンバルパッド１０１は、演奏者によるシンバルパッド１０１の叩打を検出することができる叩打センサを少なくとも１つ備えていればよい。したがって、シンバルパッド１０１は、カップ部１０６ａおよびボウ部１０６ｃの各叩打を共通して検出できる１つの叩打センサを１つまたは複数設けて構成することもできる。この場合、カップ部１０６ａおよびボウ部１０６ｃの各叩打を共通して検出できる１つまたは複数の叩打センサは、ベース体１０２における裏面側に設けることができる。
【００７９】
また、上記実施形態においては、叩打センサ１０５ａ，１０５ｂは、ピエゾフィルムを略環状のＣ字状に形成することでカップ部１０６ａおよびボウ部１０６ｃの各周方向の略全周（実質的には全周）に設けた。これにより、叩打センサ１０５ａ，１０５ｂは、カップ部１０６ａおよびボウ部１０６ｃの叩打位置に拘らず振動を精度良く検出することができる。特に、ボウ部１０６ｃにおいては、打面貫通孔１０８が形成されているため振動の均一な伝搬が阻害されることがあるが、叩打センサ１０５ｂがエッジ部１０６ｄの略全周に設けられていることでボウ部１０６ｃの叩打を精度良く検出することができる。
【００８０】
しかし、叩打センサ１０５ａ，１０５ｂは、シンバルパッド１０１の振動を検出できればよく、ピエゾフィルム以外の検出器、例えば、圧電セラミックスの両面にそれぞれ電極を配置するとともにこれらの電極の一方に金属板を配置した平面視で円板状のピエゾ素子で構成してもよい。この場合、円板状に形成した叩打センサ１０５ａ，１０５ｂは、ベース体１０２上に１または周方向に沿って複数設けることができる。また、この場合、叩打センサ１０５ｂは、ボウ部１０６ｃの板面において打面貫通孔１０８の形成位置とは異なる周方向位置に配置（換言すれば、打面貫通孔１０８と同一の径方向線上に配置されないように配置）されることで打面貫通孔１０８による影響を抑えることができる。また、叩打センサ１０５ａ，１０５ｂは、ピエゾ素子またはピエゾフィルム以外の検出器、例えば、感圧型シートセンサまたはシートスイッチなどで構成することもできる。
【符号の説明】
【００８１】
ＳＴ…スティック、Ｃ…チップ部、θ１…ベース体側打面貫通孔の内周部の傾斜角、θ２…ベース体側打面貫通孔の内周部の傾斜角チップ部、ＣＬ…ベース体側打面貫通孔およびパッド側打面貫通孔の中心軸線、
１００…電子シンバル、
１０１…シンバルパッド、１０２…ベース体、１０２ａ…貫通取付部、１０２ｂ…平面環状部、１０２ｃ…湾曲部、１０３…ベース体側打面貫通孔、１０３ａ…内周部、１０３ｂ…受け部、１０３ｃ…張出部、１０３ｄ…凹部、１０４…シンバルパッド取付具、１０４ａ…保持部、１０４ｂ…連結部、１０５ａ，１０５ｂ…叩打センサ、１０６…パッド、１０６ａ…カップ部、１０６ｂ…突起、１０６ｃ…ボウ部、１０６ｄ…エッジ部、１０６ｅ…突起、１０７…パッド側打面貫通孔、１０７ａ…内周部、１０７ｂ…張出部、１０８…打面貫通孔、
１１０…フォーン端子、１１１…下面カバー、
１２０…スタンド、１２１…貫通部、１２２…支持スリーブ、１２２ａ…受けフランジ部、１２３…締付ナット、１２４ａ，１２４ｂ…押圧具。
【図１】
2019159219.tif 000003
【図２】
2019159219.tif 000004
【図３】
2019159219.tif 000005
【図４】
2019159219.tif 000006
【図５】
2019159219.tif 000007
【図６】
2019159219.tif 000008